(57)【要約】【課題】特定の製品または物品に関する、ある決まった情報を、ユーザまたは消費者による最低限の相互作用を要する簡易な方法で表示できるようにする対話型ミラーを提供する。【解決手段】対話型ミラー１は、反射性ミラー面と、このミラー面に一体化された少なくとも１つのディスプレイ２と、ミラー１に一体化され、かつバーコードとＱＲコード（登録商標）のいずれか一方または両方を読み取る少なくとも１つの光学検出器３と、光学検出器３によって検出された情報に基づいてディスプレイ２に情報を表示するプロセッサとを備える。【選択図】図１
2018511350.tif 000002
【特許請求の範囲】
【請求項１】
対話型ミラーであって、
反射性ミラー面と、
前記ミラー面に一体化された少なくとも１つのディスプレイと、
当該ミラーに一体化され、かつバーコードとＱＲコード（登録商標）のいずれか一方または両方を読み取る少なくとも１つの光学検出器と、
前記光学検出器によって検出された情報に基づいて前記ディスプレイに情報を表示するプロセッサと、を備えた対話型ミラー。
【請求項２】
請求項１に記載の対話型ミラーにおいて、前記光学検出器が、さらに、テキスト、文字、数字、記号、（ロゴもしくは商標などの）具象もしくは図形の情報、ならびに、物体における、色、形状および輪郭のいずれかもしくは任意の組合せのうちの１つまたは組合せを検出する（、前記光学検出器が、好ましくは、テキスト、文字、数字、記号、（ロゴもしくは商標などの）具象もしくは図形の情報、ならびに、物体における、色、形状および輪郭のいずれかもしくは任意の組合せのうちの１つまたは組合せを、識別し、加えて、または代わりに読み取る）、対話型ミラー。
【請求項３】
請求項１または２に記載の対話型ミラーにおいて、前記ディスプレイに表示される前記情報が、前記光学検出器によって検出された前記情報に包含されている情報を含む、対話型ミラー。
【請求項４】
請求項１〜３のいずれか１項に記載の対話型ミラーにおいて、当該対話型ミラーが、１つ以上の外部電子機器と有線または無線で通信する（、当該対話型ミラーが、好ましくは、近距離無線通信、ブルートゥース（登録商標）送信機もしくはブルートゥース（登録商標）受信機またはブルートゥース（登録商標）送受信機、Ｗｉ‐Ｆｉ（登録商標）、ＴＰイーサネット（登録商標）、４３３ＭＨｚネットワークもしくは８６６ＭＨｚネットワーク、ＺｉｇＢｅｅ（登録商標）ネットワーク、ＲＦＩＤセンサ、ならびに赤外線送信機もしくは赤外線受信機または赤外線送受信機のインターフェイスのうちの１つまたは組合せを含む）、対話型ミラー。
【請求項５】
請求項４に記載の対話型ミラーにおいて、前記プロセッサが、前記光学検出器によって検出された前記情報に基づいて、１つ以上の外部電子機器から情報を取得し、前記ディスプレイに表示される前記情報が、前記取得された情報またはその一部を含む、対話型ミラー。
【請求項６】
対話型ミラーに情報を表示する方法であって、
ａ）対話型ミラーであって、反射性ミラー面と、少なくとも１つのディスプレイと、視野を有し、前記ミラーに一体化され、かつバーコードとＱＲコード（登録商標）のいずれか一方または両方を読み取る少なくとも１つの光学検出器と、プロセッサとを備えた対話型ミラー（、好ましくは請求項１〜５のいずれか１項に記載の対話型ミラー）を提供する工程と、
ｂ）物品を提供する工程と、
ｃ）前記物品を前記光学検出器の前記視野の範囲内に配置する工程と、
ｄ）前記光学検出器によって、前記物品にリンクした情報を収集する工程であって、収集された前記情報がバーコードとＱＲコード（登録商標）のいずれか一方または両方を含む、工程と、
ｅ）前記光学検出器によって収集された前記情報に基づいて、前記ディスプレイに情報を表示する工程と、
を含む方法。
【請求項７】
請求項６に記載の方法において、前記収集された情報が、さらに、前記物品に付された情報であって、テキスト、文字、数字、記号、（ロゴもしくは商標などの）具象もしくは図形の情報、および色の情報のうちの１つまたは組合せを含み、加えて、または代わりに、前記収集される情報が、さらに、前記物品に特有の情報であって、前記物品もしくはその一部の形状、および、前記物品もしくはその一部の輪郭の情報のうちの１つまたは組合せを含む、方法。
【請求項８】
請求項６または７に記載の方法において、前記ディスプレイに表示される前記情報が、前記収集された情報に包含されている情報を含む、方法。
【請求項９】
請求項６〜８のいずれか１項に記載の方法であって、さらに、
メモリにデータを記憶する工程を含み、
前記記憶されたデータに包含されている情報であって、前記光学検出器によって収集された前記情報に関連する情報を、前記ディスプレイに表示される前記情報が含む、方法。
【請求項１０】
請求項６〜９のいずれか１項に記載の方法であって、さらに、
前記収集された情報に基づいて、１つ以上の外部電子機器から情報を取得する工程を含み、
前記ディスプレイに表示される前記情報が、前記取得された情報またはその一部を含む（、前記取得された情報が、好ましくは、前記物品の生産元と販売元のいずれか一方または両方によって（、好ましくはインターネットアクセス可能なデータベースを介して）提供される）、方法。
【請求項１１】
請求項６〜１０のいずれか１項に記載の方法において、前記表示される情報が、（含有量の申告または危険性および副作用についての詳細などの）製品情報、使用または用途の説明、用途例、類似製品または関連製品の情報、ならびに、（使用期間の表示のような）前記物品の使用を容易にするための付加情報のうちの１つまたは組合せを含む、方法。
【請求項１２】
請求項６〜１１のいずれか１項に記載の方法において、前記表示される情報が、文字情報、画像情報、音声情報および映像形式で提供される情報のいずれか１つまたは任意の組合せを含む、方法。
【請求項１３】
請求項６〜１２のいずれか１項に記載の方法において、前記ミラーが、さらに、（好ましくは、ジェスチャセンサ、マイク、キーボードおよびタッチスクリーンのいずれか１つまたは任意の組合せである）入力手段を備え、
当該方法が、さらに、
前記物品のユーザによる前記入力手段を用いたフィードバックを提供する工程と、
前記フィードバックを前記物品の生産元と販売元のいずれか一方または両方に伝達する工程とを含む、方法。
【請求項１４】
請求項１３に記載の方法において、前記フィードバックが、前記物品の評価と注文のいずれか一方または両方を含む、方法。
【発明の詳細な説明】
【技術分野】
【０００１】
本発明は、対話型ミラー（インタラクティブミラー）、および対話型ミラーに情報を表示する方法に関する。
【背景技術】
【０００２】
日常生活において、特定の製品または物品に関するある決まった情報を表示することができれば、有益なことが多い。例えば、消費者は、ある製品がまだ入手可能であるかどうか、また、ある製品がいずれの販売店で、いくらで売られているのかということに関心があるかもしれない。時には、消費者は、操作マニュアルまたは使用説明書を失くしてしまい、例えばインターネットからその情報を取得したいと考えるであろう。高齢の人々にとって、例えば医薬品に付された製品説明書または添付文書は極めて小さい文字で書かれており、ほとんど読むことができないかもしれない。この様な状況において、人々はしばしば、スマートフォンやタブレットが手元にあればそれらを使用して、ある決まった情報をインターネットから取得したり、ある決まった情報をより明瞭に表示させたりする。
【発明の概要】
【発明が解決しようとする課題】
【０００３】
しかしながら、まだスマートフォンやタブレットを持っていない人もおり、特に、高齢者はスマートフォンやタブレットなどの複雑な電子機器を扱うことに対して居心地の悪さを感じることが多い。さらに、そのような情報は大抵、人々がスマートフォンやタブレットなどの電子機器を通常は用いないバスルーム（洗面所）にいるときに必要である。
【課題を解決するための手段】
【０００４】
したがって、本発明の目的は、特定の製品または物品に関するある決まった情報を、ユーザまたは消費者には最低限の相互作用（対話）のみを要求する簡易な方法で表示できるようにする装置を提供することである。この目的は、請求項１に記載の対話型ミラー、および請求項６に記載の対話型ミラーに情報を表示する方法によって達成される。本発明の好ましい実施形態は、従属請求項に記載する。
【０００５】
本発明は、対話型ミラーであって、反射性を有するミラー面と、このミラー面に一体化された少なくとも１つのディスプレイと、ミラーに一体化された少なくとも１つの光学検出器と、この光学検出器によって検出された情報に基づいてディスプレイに情報を表示するプロセッサと、を備える対話型ミラーに関する。本発明は、とりわけ、スマートフォン上のアプリによって通常行われる、ある決まった機能を、あらゆるバスルームに通常存在するミラー（鏡）に組み込むというアイデアに基づいている。光学検出器は、例えば、バーコードリーダやＱＲコード（登録商標）リーダであってもよい。これを用いることで、対話型ミラーのプロセッサは光学検出器に近付けられた、ある決まった製品や物品を識別し、かつ／または検出器に近付けられた物品や製品に関する、ある決まった情報を取得する。例えば、ユーザは、ヘアカラーリング剤のバーコードを対話型ミラーのバーコードリーダに近付けてもよい。バーコードリーダはバーコードを読み取り、プロセッサは、読み取られたバーコードに基づいて、対話型ミラーのディスプレイに、ある決まった情報を表示する。表示された情報は、例えば、そのヘアカラーリング剤の使用説明を含んでもよい。この種の情報をバスルームに設けられたミラーのディスプレイに表示することで、この種の情報を小さい用紙で提供することに比べて、ある一定の優位性が提供される。まず、紙の使用説明書は概して小さな文字で記載されているので、読みづらいという点である。次に、また、さらに重要なことには、水や染毛剤を取り扱うときに紙の用紙を扱うことは実用的ではないという点である。最後に、プロセッサは、文書では提供できない情報のようなさらなる情報を表示させてもよいという点である。例えば、ディスプレイは、時刻やタイマを表示してもよい。例えば、プロセッサは、バーコードリーダによって取得または参照された情報から染毛剤を塗布しておく時間を取得し、大まかに設定されたタイマをミラーのディスプレイに表示させてもよい。ユーザは、例えば音声により、このタイマを開始させてもよく、これにより時計やその他のタイマに触る必要がない。当然、プロセッサは、また、染毛剤の原材料、または染めた髪に特有のシャンプーのような関連製品についての情報といった様々な情報をディスプレイ上で提供してもよい。
【０００６】
検出器は、バーコードリーダまたはＱＲコード（登録商標）リーダであってもよい。光学検出器は、また、カメラ（好ましくは、デジタルカメラ）や、製品や物品から光学情報を取得するその他の光学システムを含んでもよい。好ましくは、光学検出器が、テキスト、文字（レター）、数字、記号（キャラクタ）、ロゴもしくは商標などの具象または図形の情報、ならびに、物品や物体における、色、形状および／または輪郭のうちの１つまたは組合せを検出し、好ましくは、識別し、かつ／または読み取る。これらの機能は、カメラのような１つの光学検出器で提供され、この光学検出器がバーコードおよび／またはＱＲコード（登録商標）も読み取ってもよい。代わりに、２つ以上の異なる光学検出器が設けられてもよい。例として挙げると、対話型ミラーは、例えば製品のパッケージに付されたバーコードおよび／またはＱＲコード（登録商標）を読み取るように特に適合されたバーコードリーダおよび／またはＱＲコード（登録商標）リーダなどの第１の光学検出器を備えてもよい。加えて、対話型ミラーは、製品や物品の形状や輪郭を分析することにより、または物品などのロゴまたは商標を識別することにより、製品や物品を識別するように特に適合されたデジタルカメラのような第２の光学検出器を備えてもよい。
【０００７】
この分野の当業者であれば、情報は、検出器によって検出され、さらに、識別または分類のためにプロセッサによって処理されるだけであることを、理解するであろう。製品または物品がバーコードおよび／またはＱＲコード（登録商標）を有している場合、その製品または物品を識別する最も効率的かつ確実な方法は、そのバーコードまたはＱＲコード（登録商標）を読み取ることであろう。しかしながら、大抵、そのようなバーコードが付けられているのは製品のパッケージのみであり、製品自体ではない。しかも、消費者が製品を使おうとするとき、消費者は既にパッケージを捨てていて、手元にあるのは製品のみであるかもしれない。したがって、光学検出器および／またはプロセッサが、製品上の製品名のようなテキスト（文字情報）、または製品上のロゴもしくは商標などの画像情報を読み取り、かつ／または識別するのが好ましい。特定の瓶もしくは容器の外形のような、物体における、色、形状、および／または輪郭も、特定の製品または物品を識別するために用いられてもよい。
【０００８】
本発明の一態様によると、ディスプレイに表示される情報は、光学検出器によって読み取られた情報に包含されている情報を含んでもよい。例えば、バーコードまたはＱＲコード（登録商標）は、プロセッサによって復号化される情報であって、ミラーディスプレイに表示される符号化された情報をある程度含んでもよい。しかしながら、バーコードまたはＱＲコード（登録商標）に符号化される情報量は限定されているため、例えば、読み取られたバーコードまたはＱＲコード（登録商標）を用いて、例えば、製品の製造元または販売元から提供された情報およびデータを参照することにより、その製品に関するさらなる情報を取得することが特に好ましい。この点については、以下でより詳細に説明する。対話型ミラーは、また、光学検出器が読み取ったテキスト自体を表示してもよい。例として挙げると、デジタルカメラは、例えば、製品、製品のパッケージ、または封入されたラベルに付された使用説明を読み取り、読み取られたテキストをミラーディスプレイに単に表示してもよい。
【０００９】
本発明の別の態様によると、対話型ミラーは、さらに、データを記憶するメモリを備えてもよい。ディスプレイに表示される情報は、記憶されたデータに包含されている情報であって、光学検出器によって検出された情報に関連する情報を含んでもよい。例えば、メモリは、特定の製品の種類（様々な染毛剤など）または特定の製造元の製品に関する、ある決まったデータを記憶してもよい。検出器の前に（または、検出器の視野の範囲内に）配置された特定の製品が、読み取られた、バーコード、製品上のテキスト、製品上のロゴ、または容器の形状などによって識別されると、プロセッサは単に、メモリに記憶されているデータであって、識別された製品に関連する、ある決まったデータを取得し、その情報をミラーディスプレイに表示する。換言すれば、検出された情報は、一定の記憶されたデータに対するリンクを含んでもよい。
【００１０】
対話型ミラーが、１つ以上の外部電子機器と有線または無線で通信するのがさらに好ましい。好ましくは、対話型ミラーのプロセッサは、ある決まったデータを取得するためにインターネットに接続可能である。これにより、メモリに記憶されたデータが定期的に更新されてもよい。代わりに、プロセッサは、光学検出器によって検出された情報に基づいて、１つ以上の外部電子機器および／またはインターネットからある決まった情報を取得してもよい。例として挙げると、プロセッサは、例えばインターネットを介して特定の物品または製品の生産元および／または販売元のデータベースに接続してもよく、また、その製品がまだ入手可能であるかどうか、またはその製品の実際の値段といった、その製品または物品に関する、ある決まった情報を取得してもよい。読み取られたバーコードのような検出された情報は、例えば、取得予定の情報を含むウェブアドレスへのリンクや、表示予定のデータに対するその他の参照を含んでもよい。
【００１１】
好ましくは、ミラーがさらにスピーカを備えており、プロセッサが、光学検出器によって検出された情報に基づいて、スピーカを介して情報を出力する。好ましくは、ミラーが、タッチスクリーン、存在検出器、動作検出器、マイクおよび／または押しボタンなどのユーザと相互作用する相互作用手段（対話手段）を備える。
【００１２】
本発明は、さらに、対話型ミラーに情報を表示する方法に関する。本発明の方法によると、反射性を有するミラー面と、少なくとも１つのディスプレイと、視野を有し、かつミラーに一体化された少なくとも１つの光学検出器と、プロセッサと、を備えた対話型ミラーが提供される。この対話型ミラーは、本発明の対話型ミラーに関して上述した構成のいかなる組合せを備えてもよい。さらに、物品または製品が提供され、この物品または製品が光学検出器の視野の範囲に配置される。この物品または製品にリンクした情報が光学検出器によって収集される。そして、ディスプレイに情報が表示される。この表示される情報は光学検出器によって収集された情報に基づく。
【００１３】
表示される情報は、収集された情報に包含される情報、対話型ミラーのメモリに記憶された記憶データに包含されている情報であって、光学検出器によって収集された情報に関連する情報、ならびに／または１つ以上の外部電子機器および／もしくはインターネットから取得された情報を含んでもよい。好ましくは、取得される情報が、その製品または物品の生産元および／または販売元によって、好ましくはインターネットアクセス可能なデータベースを介して、提供される。
【００１４】
表示される情報が、含有量の申告（declarations of content）または危険性や副作用についての詳細などの製品情報、使用または用途の説明、用途例、類似製品または関連製品の情報、ならびに、使用期間の表示などの物品の使用を容易にするための付加情報のうちの１つまたは組合せを含んでもよい。
【００１５】
表示される情報は、テキストのような文字情報、絵文字のような図形情報、画像情報、音声情報および／または映像形式で提供される情報を含んでもよい。
【００１６】
当該方法は、好ましくは、さらに、物品または製品のユーザによる、ジェスチャセンサ、マイク、キーボードおよび／またはタッチスクリーンなどの入力手段（インプット）を用いたフィードバックを提供することを含む。このフィードバックが、例えばインターネットを介して、物品の生産元および／または販売元に伝達されてもよい。このフィードバックが、例えば、物品もしくは製品、または関連物品もしくは関連製品の評価および／または注文を含んでもよい。
【００１７】
当該方法は、好ましくは、さらに、オンライン販売統合（online retail integration）を提供することを含む。これにより、ユーザは、現在の物品に基づいたお薦めに従って、または同一物品を再購入する補充作業の一環として、オンラインで製品を容易に購入することができる。
【発明の効果】
【００１８】
本発明の対話型ミラーおよび本発明の方法により、ある決まった製品または物品に関する、ある決まった情報を簡易かつ効率的にユーザに表示できる。本発明のミラーは、電子機器についての特別な知識を必要としておらず、例えば、関心のある製品をミラーの検出器の近くにただ配置することによって、きわめて簡易な相互作用が可能となる。本発明のミラーは、十分に大きいフォントで情報を表示でき、消費者は、水、電子機器、染毛料などを扱いながら、表示された情報を読むことができる。
【００１９】
本発明はさらに、以下の態様に関する。
【００２０】
〔態様１〕
対話型ミラーであって、反射性ミラー面と、当該ミラーに（、好ましくは前記ミラー面に）一体化された少なくとも１つのディスプレイと、当該ミラーに一体化された少なくとも１つの検出器と、前記検出器によって検出された情報に基づいて前記ディスプレイに情報を表示するプロセッサと、を備えた対話型ミラー。
【００２１】
〔態様２〕
態様１に記載の対話型ミラーにおいて、前記検出器が光学検出器である、対話型ミラー。
【００２２】
〔態様３〕
態様１または２に記載の対話型ミラーにおいて、前記検出器がカメラ（、好ましくはデジタルカメラ）である、対話型ミラー。
【００２３】
〔態様４〕
態様１〜３のいずれか１態様に記載の対話型ミラーにおいて、前記検出器がバーコードとＱＲコード（登録商標）のいずれか一方または両方を読み取る、対話型ミラー。
【００２４】
〔態様５〕
態様１〜４のいずれか１態様に記載の対話型ミラーにおいて、前記光学検出器が、テキスト、文字、数字、記号、（ロゴもしくは商標などの）具象もしくは図形の情報、ならびに、物体における、色、形状および輪郭のいずれかもしくは任意の組合せのうちの１つまたは組合せを検出する（、かつ好ましくは識別し、かつ／または読み取る）、対話型ミラー。
【００２５】
〔態様６〕
態様１〜５のいずれか１態様に記載の対話型ミラーにおいて、前記プロセッサが当該ミラーに一体化されている、対話型ミラー。
【００２６】
〔態様７〕
態様１〜６のいずれか１態様に記載の対話型ミラーにおいて、前記ディスプレイに表示される前記情報が、前記検出器によって検出された前記情報に包含されている情報を含む、対話型ミラー。
【００２７】
〔態様８〕
態様１〜７のいずれか１態様に記載の対話型ミラーであって、さらに、
データを記憶するメモリを備え、
前記ディスプレイに表示される前記情報が、前記記憶されたデータに包含されている情報であって、前記検出器によって検出された前記情報に関連する情報を含む、対話型ミラー。
【００２８】
〔態様９〕
態様１〜８のいずれか１態様に記載の対話型ミラーにおいて、前記対話型ミラーが、１つ以上の外部電子機器と有線または無線で通信する、対話型ミラー。
【００２９】
〔態様１０〕
態様９に記載の対話型ミラーにおいて、当該対話型ミラーが、近距離無線通信、ブルートゥース（登録商標）送信機もしくはブルートゥース（登録商標）受信機またはブルートゥース（登録商標）送受信機、Ｗｉ‐Ｆｉ（登録商標）、ＴＰイーサネット（登録商標）、４３３ＭＨｚネットワークもしくは８６６ＭＨｚネットワーク、ＺｉｇＢｅｅ（登録商標）ネットワーク、ＲＦＩＤセンサ、ならびに赤外線送信機もしくは赤外線受信機または赤外線送受信機のインターフェイスのうちの１つまたは組合せを含む、対話型ミラー。
【００３０】
〔態様１１〕
態様９または１０に記載の対話型ミラーにおいて、前記プロセッサが、前記検出器によって検出された前記情報に基づいて、１つ以上の外部電子機器から情報を取得し、前記ディスプレイに表示される情報が、前記取得された情報またはその一部を含む、対話型ミラー。
【００３１】
〔態様１２〕
態様１〜１１のいずれか１態様に記載の対話型ミラーにおいて、前記検出器が前記ミラー面に一体化されているか、または前記ミラーの１つ以上の端部（、好ましくは当該ミラーの底端部）に取り付けられている、対話型ミラー。
【００３２】
〔態様１３〕
態様１〜１２のいずれか１態様に記載の対話型ミラーにおいて、当該ミラーが、さらに、
スピーカを備え、
前記プロセッサが、前記検出器によって検出された前記情報に基づいて、前記スピーカを介して情報を出力する、対話型ミラー。
【００３３】
〔態様１４〕
態様１〜１３のいずれか１態様に記載の対話型ミラーにおいて、前記ディスプレイが、時刻を表示する、対話型ミラー。
【００３４】
〔態様１５〕
態様１〜１４のいずれか１態様に記載の対話型ミラーにおいて、前記ディスプレイが、タイマを表示する、対話型ミラー。
【００３５】
〔態様１６〕
態様１５に記載の対話型ミラーにおいて、前記プロセッサが、前記検出器によって検出された前記情報に基づいて、タイマに期間を提供する、対話型ミラー。
【００３６】
〔態様１７〕
態様１５または１６に記載の対話型ミラーにおいて、前記表示されるタイマがユーザによって（、好ましくは音声によって）開始可能である、対話型ミラー。
【００３７】
〔態様１８〕
態様１〜１７のいずれか１態様に記載の対話型ミラーにおいて、当該ミラー（、好ましくは前記ミラー面）が、ユーザと相互作用する相互作用手段を備えた、対話型ミラー。
【００３８】
〔態様１９〕
態様１８に記載の対話型ミラーにおいて、前記相互作用手段が、タッチスクリーン、存在検出器、動作検出器、マイクおよび押しボタンのうちの１つまたは組合せを備える、対話型ミラー。
【００３９】
〔態様２０〕
対話型ミラーに情報を表示する方法であって、
ａ）対話型ミラーであって、反射性ミラー面と、少なくとも１つのディスプレイと、視野を有し、かつ前記ミラーに一体化された少なくとも１つの光学検出器と、プロセッサとを備えた対話型ミラー（、好ましくは態様１〜２０のいずれか１態様に記載の対話型ミラー）を提供する工程と、
ｂ）物品を提供する工程と、
ｃ）前記物品を前記光学検出器の前記視野の範囲内に配置する工程と、
ｄ）前記光学検出器によって、前記物品にリンクした情報を収集する工程と、
ｅ）前記光学検出器によって収集された前記情報に基づいて、前記ディスプレイに情報を表示する工程と、
を含む方法。
【００４０】
〔態様２１〕
態様２０に記載の方法において、前記収集された情報が、前記物品に付された情報であって、テキスト、文字、数字、記号、（ロゴもしくは商標などの）具象もしくは図形の情報、色、バーコード、およびＱＲコード（登録商標）の情報のうちの１つまたは組合せを含む、方法。
【００４１】
〔態様２２〕
態様２０または２１に記載の方法において、前記収集された情報が、前記物品に特有の情報であって、前記物品もしくはその一部の形状、および、前記物品もしくはその一部の輪郭の情報のうちの１つまたは組合せを含む、方法。
【００４２】
〔態様２３〕
態様２０〜２２のいずれか１態様に記載の方法において、前記ディスプレイに表示される前記情報が、前記収集された情報に包含されている情報を含む、方法。
【００４３】
〔態様２４〕
態様２０〜２３のいずれか１態様に記載の方法であって、さらに、
メモリにデータを記憶する工程を含み、
前記記憶されたデータに包含されている情報であって、前記光学検出器によって収集された前記情報に関連する情報を、前記ディスプレイに表示される情報が含む、方法。
【００４４】
〔態様２５〕
態様２０〜２４のいずれか１態様に記載の方法であって、さらに、
前記収集された情報に基づいて、１つ以上の外部電子機器から情報を取得する工程を含み、
前記ディスプレイに表示される前記情報が、前記取得された情報またはその一部を含む、方法。
【００４５】
〔態様２６〕
態様２５に記載の方法において、前記取得される情報が、前記物品の生産元と販売元のいずれか一方または両方によって提供される、方法。
【００４６】
〔態様２７〕
態様２５または２６に記載の方法において、前記情報が、インターネットアクセス可能なデータソース（、好ましくはインターネットアクセス可能なデータベース）を介して取得される、方法。
【００４７】
〔態様２８〕
態様２０〜２７のいずれか１態様に記載の方法において、前記表示される情報が、（含有量の申告または危険性および副作用についての詳細などの）製品情報、使用または用途の説明、用途例、類似製品または関連製品の情報、ならびに、（使用期間の表示のような）前記物品の使用を容易にするための付加情報のうちの１つまたは組合せを含む、方法。
【００４８】
〔態様２９〕
態様２０〜２８のいずれか１態様に記載の方法において、前記表示される情報が、文字情報、画像情報、音声情報および映像形式で提供される情報のいずれか１つまたは任意の組合せを含む、方法。
【００４９】
〔態様３０〕
態様２０〜２９のいずれか１態様に記載の方法において、前記ミラーが、さらに、
（好ましくは、ジェスチャセンサ、マイク、キーボードおよびタッチスクリーンのいずれか１つまたは任意の組合せである、）入力手段を備え、
当該方法が、さらに、
前記物品のユーザによる前記入力手段を用いたフィードバックを提供する工程と、
前記フィードバックを前記物品の生産元と販売元のいずれか一方または両方に伝達する工程とを含む、方法。
【００５０】
〔態様３１〕
態様３０に記載の方法において、前記フィードバックが、前記物品の評価と注文のいずれか一方または両方を含む、方法。
【００５１】
本発明の好ましい実施形態は、以下の図面を参照することにより、さらに明らかになる。
【図面の簡単な説明】
【００５２】
【図１】本発明に係る対話型ミラーの好ましい実施形態の概略図である。
【発明を実施するための形態】
【００５３】
図１には対話型ミラー１が概略的に示されている。対話型ミラー１は、反射性を有するミラー面と、このミラー面に一体化された少なくとも１つのディスプレイ２と、前記ミラーに一体化された少なくとも１つの光学検出器３とを備える。検出器３によって検出される情報に基づいて、ディスプレイ２に情報を表示するプロセッサが、図１には示されていないが、好ましくは対話型ミラー１に一体化されている。図１に示す実施形態において、２つのディスプレイ２がミラー面に一体化されている。当然、ミラーは、１つのディスプレイのみを備えてもよく、または２つよりも多くのディスプレイ、例えば３つ、４つ、またはそれよりも多くのディスプレイを備えてもよい。互いに異なるディスプレイ２は、同一のサイズおよび形状（図１に示す）である必要はない。代わりに、複数の同一の（サイズおよび形状の）ディスプレイが設けられてもよい。
【００５４】
図１に示す実施形態において、２つの光学検出器３がミラーに一体化されている。当然、ミラーは、１つの光学検出器のみを備えてもよく、または２つよりも多くの光学検出器、例えば３つ、４つ、またはそれよりも多くの光学検出器を備えてもよい。光学検出器３は、バーコードリーダまたはデジタルカメラであってもよく、図１に示されるようにミラー面に設けられているか、またはミラーの端部、好ましくはミラーの底端部に取り付けられていてもよい。また、２つ以上の光学検出器を設けることが有利な場合もある。これにより、製品または物品を極めて限定された場所に保持する必要がなく、単にミラーの近傍に持ってこられるだけでよい。
【００５５】
対話型ミラーの使用中に、光学検出器３は、一次元コードもしくは二次元コード、形状、ロゴ、テキスト、または電子的な検出および処理が可能なその他の象徴（attribute）などの図形コードを探してミラーの前のエリアを走査する。
【００５６】
設置された光学検出器の場所や型に応じて、製品の認識、ならびに、データ、指示および／または用途の表示を開始するために、ユーザは、手動で光学リーダ（近接場赤外光学リーダまたはＣＣＤ光学リーダ）の前に製品を配置するか、または単にミラー（ＣＣＤ‐ＨＤカメラ、または同様の機器）の前で製品を保持する。
【００５７】
ほとんどの場合、製品は、一般にＵＰＣバーコード規格またはＥＡＮバーコード規格で指定された一次元バーコードによって識別される。光学リーダ部品３は、その容量および技術的統合度に応じて、形状および線のパターンを基にバーコードの範囲をデジタル化し、ＵＰＣコードまたはＥＡＮコードに記憶された番号を復号化し、ＵＳＢバスのようなデータ接続を介してホストシステムへこの番号を送信するか、または、バーコード表現からなる二値画像データをホストシステムに伝達し、このホストシステムがＵＰＣ規格またはＥＡＮ規格に基づいてこのパターンを復号化する。このプロセスは、Datamatrix規格およびＱＲコード（登録商標）規格に基づいたコードを含む二次元コードのようなその他の図形符号化データに対しても同様である。
【００５８】
代わりに、製品からなる画像を、特定のテキスト内容（ＯＣＲ、すなわち光学式記号認識技術）、ロゴもしくは形状（パターン認識技術）および／または特定の形状や色について分析することにより、製品を識別できる。このようなバーコードや二次元コードの技術、ＯＣＲ技術およびパターン認識技術は普及しており、また良好なマニュアルが存在する。
【００５９】
テキスト、ロゴ、形状、または固有の製品参照に直接変換できないその他の特徴に基づいて製品を認識するために、二値画像、形状、輪郭などのデータを含むデータセットが、既知の物体のデータベースに対してパターン認識アルゴリズムもしくはその他の認識アプローチによって局所的に処理されるか、または、パターン、形状および／もしくは画像情報を受信し、パターン認識処理を分散して行うバックエンドサービスのようなネットワーク化されたリソースによって処理される。
【００６０】
ＵＰＣコードもしくはＥＡＮコード、またはその他の固有の識別子から得られた番号に基づいて、ホストシステムは、局所的に記憶された製品内容を検索するか、および／またはインターネットサービスのようなネットワーク化されたリソースに問合せを送信して、製品内容、説明および用途を取り出す。これら取り出した製品内容などは、１つ以上のミラーディスプレイ２に表示される。記憶された内容を用いることでも、ユーザは、さらなる情報、用途および内容を得るためにミラーと相互作用することが可能である。これらさらなる情報、用途および内容は、局所的またはネットワークリソース上に記憶されている。取得された内容および用途は、さらなる要求を行う際のアクセス時間およびローディング時間を抑えるために、局所的に記憶される（「キャッシュに格納される」）ことが可能である。
【図１】
2018511350.tif 000003
【国際調査報告】
2018511350.tif 000004
2018511350.tif 000005
2018511350.tif 000006